【手続補正書】
【提出日】平成16年6月11日(2004.6.11)
【手続補正１】
【補正対象書類名】明細書
【補正対象項目名】発明の名称
【補正方法】変更
【補正の内容】
【発明の名称】カメラ装置及び制御方法
【手続補正２】
【補正対象書類名】明細書
【補正対象項目名】特許請求の範囲
【補正方法】変更
【補正の内容】
【特許請求の範囲】
【請求項１】
映像信号を生成するカメラ部と、
通信網を介して前記カメラ部を制御する第１の制御装置から出力された制御信号が入力される第１の入力手段と、
前記通信網を介さずに前記カメラ部を制御する第２の制御装置から出力された制御信号が入力される第２の入力手段とを有し、
前記カメラ装置と前記第１の制御装置とが通信中であるか否かに応じて前記第２の制御装置から出力された制御信号に対応する制御を実行しないようにすることを特徴とするカメラ装置。
【請求項２】
映像信号を生成するカメラ部と、
通信網を介して前記カメラ部を制御する第１の制御装置から出力された制御信号が入力される第１の入力手段と、
前記通信網を介さずに前記カメラ部を制御する第２の制御装置から出力された制御信号が入力される第２の入力手段とを有し、
前記第１の制御装置から出力された制御信号に対応する制御を実行しているときは前記第２の制御装置から出力された制御信号に対応する制御を実行しないことを特徴とするカメラ装置。
【請求項３】
映像信号を生成するカメラ部と、
通信網を介して前記カメラ部を制御する第１の制御装置から出力された制御信号が入力される第１の入力手段と、
前記通信網を介さずに前記カメラ部を制御する第２の制御装置から出力された制御信号が入力される第２の入力手段とを有するカメラ装置における制御方法であって、
前記カメラ装置と前記第１の制御装置とが通信中であるか否かに応じて前記第２の制御装置から出力された制御信号に対応する制御を実行しないようにすることを特徴とする制御方法。
【請求項４】
映像信号を生成するカメラ部と、
通信網を介して前記カメラ部を制御する第１の制御装置から出力された制御信号が入力される第１の入力手段と、
前記通信網を介さずに前記カメラ部を制御する第２の制御装置から出力された制御信号が入力される第２の入力手段とを有するカメラ装置における制御方法であって、
前記第１の制御装置から出力された制御信号に対応する制御を実行しているときは前記第２の制御装置から出力された制御信号に対応する制御を実行しないようにすることを特徴とする制御方法。
【手続補正３】
【補正対象書類名】明細書
【補正対象項目名】０００１
【補正方法】変更
【補正の内容】
【０００１】
【発明の属する技術分野】
本発明は、遠隔操作が可能なカメラ部を有するカメラ装置及びその制御方法に関する。
【手続補正４】
【補正対象書類名】明細書
【補正対象項目名】０００７
【補正方法】変更
【補正の内容】
【０００７】
そこで、本発明は、カメラ部の遠隔操作を適切に制御することができるカメラ装置及び制御方法を提供することを目的とする。
【手続補正５】
【補正対象書類名】明細書
【補正対象項目名】０００８
【補正方法】変更
【補正の内容】
【０００８】
【課題を解決するための手段】
本発明に係るカメラ装置は、映像信号を生成するカメラ部と、通信網を介して前記カメラ部を制御する第１の制御装置から出力された制御信号が入力される第１の入力手段と、前記通信網を介さずに前記カメラ部を制御する第２の制御装置から出力された制御信号が入力される第２の入力手段とを有し、前記カメラ装置と前記第１の制御装置とが通信中であるか否かに応じて前記第２の制御装置から出力された制御信号に対応する制御を実行しないようにすることを特徴とする。
【手続補正６】
【補正対象書類名】明細書
【補正対象項目名】０００９
【補正方法】変更
【補正の内容】
【０００９】
また、本発明に係る他のカメラ装置は、映像信号を生成するカメラ部と、通信網を介して前記カメラ部を制御する第１の制御装置から出力された制御信号が入力される第１の入力手段と、前記通信網を介さずに前記カメラ部を制御する第２の制御装置から出力された制御信号が入力される第２の入力手段とを有し、前記第１の制御装置から出力された制御信号に対応する制御を実行しているときは前記第２の制御装置から出力された制御信号に対応する制御を実行しないことを特徴とする。
【手続補正７】
【補正対象書類名】明細書
【補正対象項目名】００１０
【補正方法】変更
【補正の内容】
【００１０】
また、本発明に係る制御方法は、映像信号を生成するカメラ部と、通信網を介して前記カメラ部を制御する第１の制御装置から出力された制御信号が入力される第１の入力手段と、前記通信網を介さずに前記カメラ部を制御する第２の制御装置から出力された制御信号が入力される第２の入力手段とを有するカメラ装置における制御方法であって、前記カメラ装置と前記第１の制御装置とが通信中であるか否かに応じて前記第２の制御装置から出力された制御信号に対応する制御を実行しないようにすることを特徴とする。
【手続補正８】
【補正対象書類名】明細書
【補正対象項目名】００１１
【補正方法】変更
【補正の内容】
【００１１】
また、本発明に係る他の制御方法は、映像信号を生成するカメラ部と、通信網を介して前記カメラ部を制御する第１の制御装置から出力された制御信号が入力される第１の入力手段と、前記通信網を介さずに前記カメラ部を制御する第２の制御装置から出力された制御信号が入力される第２の入力手段とを有するカメラ装置における制御方法であって、前記第１の制御装置から出力された制御信号に対応する制御を実行しているときは前記第２の制御装置から出力された制御信号に対応する制御を実行しないようにすることを特徴とする。
【手続補正９】
【補正対象書類名】明細書
【補正対象項目名】００１２
【補正方法】削除
【補正の内容】
【手続補正１０】
【補正対象書類名】明細書
【補正対象項目名】００１３
【補正方法】変更
【補正の内容】
【００１３】
【発明の実施の形態】
以下、図面に基づき本発明に好適な実施の形態について説明する。図１は、この実施形態における無線通信装置の画像送信部の構成を示す図である。図中、１０１はカメラ部、１０２は従来例と同様に画像および音声データをＰＨＳ用のデジタルデータに変換して送信し、受信したＰＨＳデータからカメラ部制御データを復元する働きをするモデム部、１０３はモデム部１０２とＰＨＳ電話器を接続するケーブル、１０４はＰＨＳ電話器、１０５はカムコーダのズームや記録動作等を制御することができる赤外線式リモートコントローラ（以下、赤外線リモコンという）、１０６は赤外線リモコン１０５の赤外線発光部、１０７はカメラ部の赤外線受光部である。
【手続補正１１】
【補正対象書類名】明細書
【補正対象項目名】００１８
【補正方法】変更
【補正の内容】
【００１８】
本実施の形態のさらなる特徴は優先順位の高いものとして、公衆通信網を使用した制御信号を優先するというものである。公衆通信網を使用した制御は、正しい電話端末の電話番号を知らなければ行うことはできない。また、ＰＨＳによる信号は盗聴に強い等の利点もあり、制御される側から見ればより信頼性の高い制御信号ととらえることができる。さらに、公衆通信網を経由した制御信号は、通信時間やデータ量に対応して課金されているので、課金されていないリモコンの制御信号よりも当然優先された方が良い。
【手続補正１２】
【補正対象書類名】明細書
【補正対象項目名】００１９
【補正方法】変更
【補正の内容】
【００１９】
本実施の形態によればこれらの点を考慮して、制御信号が競合した場合に対応可能な処理が行われる。図３は、そのような処理を行うためのカメラ部内の制御部２０７の動作を示すフローチャートである。
【手続補正１３】
【補正対象書類名】明細書
【補正対象項目名】００２５
【補正方法】変更
【補正の内容】
【００２５】
【発明の効果】
本発明によれば、カメラ部の遠隔操作を適切に制御することができる。